(57)【要約】【課題】養生フィルムの上から予めネジ装置を取り付けても、養生フィルムを簡単にしかもきれいに除去できるようにする。【解決手段】ネジ軸部１にネジ部３を設け、ネジ軸部１の基端にネジ部３の外径よりも大きいネジ頭部４を有したネジ本体６を設け、ネジ頭部４における被締付け物対向面部７の最外周部と同径又はそれよりは小径に、ネジ頭部４の外周部を形成し、ネジ部３の締め付けに伴って被締付け物５の表面に食い込み可能な食い込み刃８を、被締付け物対向面部７の最外周部で全周に亘って設けてある。【選択図】図１
2017003036.tif 000002
【特許請求の範囲】
【請求項１】
ネジ軸部にネジ部を設け、
前記ネジ軸部の基端に前記ネジ部の外径よりも大きいネジ頭部を有したネジ本体を設けてあるネジ装置であって、
前記ネジ頭部における被締付け物対向面部の最外周部と同径又はそれよりは小径に、前記ネジ頭部の外周部を形成し、
前記ネジ部の締め付けに伴って前記被締付け物の表面に食い込み可能な食い込み刃を、前記被締付け物対向面部の最外周部で全周に亘って設けてあるネジ装置。
【請求項２】
ネジ軸部にネジ部を設け、
前記ネジ軸部の基端に前記ネジ部の外径よりも大きいネジ頭部を有したネジ本体を設けてあるネジ装置であって、
前記ネジ本体における前記ネジ軸部に外嵌する座金を設け、
被締付け物に対する前記座金の第１接当面部に、前記ネジ部の締め付けに伴って前記被締付け物の表面に食い込み可能な食い込み刃を、前記第１接当面部の最外周部で全周に亘って設けてあるネジ装置。
【請求項３】
前記ネジ頭部に対する前記座金の第２接当面部を、高摩擦面に形成してある請求項２に記載のネジ装置。
【請求項４】
前記ネジ頭部における被締付け物対向面部と、前記被締付け物対向面部に対向する前記座金の第２接当面部とを、互いに係合可能な係合面部に形成してある請求項２に記載のネジ装置。
【請求項５】
前記ネジ頭部には、回転工具の係合用の係合溝を設けてある請求項１〜４のいずれか１項に記載のネジ装置。
【請求項６】
前記ネジ頭部の外周部を多角柱形状の回転操作部に形成してある請求項１〜４のいずれか１項に記載のネジ装置。
【請求項７】
ネジ軸心に沿った前記食い込み刃の断面形状は、前記食い込み刃の内周面が先端側に行くほどネジ軸心から遠ざかる傾斜面に形成すると共に、前記食い込み刃の外周面は、前記ネジ軸心と平行か、又は、先端側に行くほどネジ軸心から遠ざかる傾斜面に形成してある請求項１〜６のいずれか１項に記載のネジ装置。
【請求項８】
前記食い込み刃を、前記接当面部の外周方向に凹凸の鋸刃形状に形成してある請求項１〜７のいずれか１項に記載のネジ装置。
【請求項９】
ネジ軸部にネジ部を設け、前記ネジ軸部の基端に前記ネジ部の外径よりも大きいネジ頭部を有したネジ本体に外嵌するための請求項１〜８のいずれか１項に記載のネジ装置用の座金であって、
被締付け物に対する第１接当面部に、前記ネジ部の締め付けに伴って被締付け物の表面に食い込み可能な食い込み刃を、前記第１接当面部の最外周部で全周に亘って設けてあるネジ装置用の座金。
【発明の詳細な説明】
【技術分野】
【０００１】
本発明は、ネジ軸部にネジ部を設け、前記ネジ軸部の基端に前記ネジ部の外形よりも大きいネジ頭部を有したネジ本体を設けてあるネジ装置及びネジ装置用の座金に関する。
【背景技術】
【０００２】
従来、前記ネジ装置は、一般的にその被締付け物対向面部が平坦面であった（例えば、特許文献１参照）。
【先行技術文献】
【特許文献】
【０００３】
【特許文献１】特開平５−２６３８１５号公報
【発明の概要】
【発明が解決しようとする課題】
【０００４】
上述した従来のネジ装置では、例えば、金属製の被締付け物などに予め取り付けて出荷する際に、被締付け物の表面に傷つけないように保護する樹脂製の養生フィルムを貼り付けた状態で、その養生フィルムの上から前記ネジ装置を取り付けておくことがある。
前記ネジ装置は、養生フィルムの上から被締付け物の表面に取付け操作を行うと、ネジ軸部の回転操作に伴って養生フィルム及び被締付け物に、ネジ部が食い込み、養生フィルムを挟み込みながら固定される。
しかし、その被締付け物を設置現場において組み付けた後には、養生フィルムは除去されなければならず、その際に、ネジ装置によって被締付け物表面に押し付けられた養生フィルムが綺麗に除去できず、フィルムの小片がネジ装置に挟まれてはみ出た状態で残ってしまうことがあった。
【０００５】
従って、本発明の目的は、上記問題点を解消し、養生フィルムの上から予めネジ装置を取り付けても、養生フィルムを簡単にしかも綺麗に除去できるようにするところにある。
【課題を解決するための手段】
【０００６】
本発明のネジ装置の第１の特徴構成は、ネジ軸部にネジ部を設け、前記ネジ軸部の基端に前記ネジ部の外径よりも大きいネジ頭部を有したネジ本体を設けてあるネジ装置であって、前記ネジ頭部における被締付け物対向面部の最外周部と同径又はそれよりは小径に、前記ネジ頭部の外周部を形成し、前記ネジ部の締め付けに伴って前記被締付け物の表面に食い込み可能な食い込み刃を、前記被締付け物対向面部の最外周部で全周に亘って設けたところにある。
【０００７】
本発明の第１の特徴構成によれば、被締付け物の表面に予め養生フィルムを貼り付けた状態で、その養生フィルムの上から本発明のネジ装置を取付け操作すると、ネジ軸部の回転操作に伴ってネジ部を被締付け物に食い込ませ、ネジ部の締め付けに伴って、被締付け物対向面部の最外周部で全周に亘って設けた食い込み刃が、養生フィルムに食い込み、被締付け物対向面部の最外周部と同径の円形の剪断部が形成される。
従って、被締付け物を設置現場において組み付けた後に、養生フィルムを除去すると、養生フィルムに形成された円形の前記剪断部が、締付け物対向面部の最外周部と同径又はそれよりは小径の外周部を形成するネジ頭部を潜り抜けて、簡単に被締付け物表面から剥がれる。
そのために、従来のように、フィルムの小片がネジ装置に挟まれてはみ出た状態で残ってしまうことがなく、簡単でしかも綺麗に養生フィルムを除去できる。
【０００８】
本発明の第２の特徴構成は、ネジ軸部にネジ部を設け、前記ネジ軸部の基端に前記ネジ部の外径よりも大きいネジ頭部を有したネジ本体を設けてあるネジ装置であって、前記ネジ本体における前記ネジ軸部に外嵌する座金を設け、被締付け物に対する前記座金の第１接当面部に、前記ネジ部の締め付けに伴って前記被締付け物の表面に食い込み可能な食い込み刃を、前記第１接当面部の最外周部で全周に亘って設けたところにある。
【０００９】
本発明の第２の特徴構成によれば、ネジ装置はネジ本体と座金を設け、しかも、被締付け物に対する座金の第１接当面部に、ネジ部の締め付けに伴って被締付け物の表面に食い込み可能な食い込み刃を、第１接当面部の最外周部で全周に亘って設けることにより、ネジ部の締め付けに伴って、被締付け物に対する前記座金の第１接当面部に設けた食い込み刃が、養生フィルムに食い込み、第１接当面部の最外周部と同径の円形の剪断部が養生フィルムに形成される。
従って、被締付け物を設置現場において組み付けた後に、養生フィルムを除去すると、養生フィルムに形成された円形の前記剪断部が、座金の外周部及びネジ頭部を潜り抜けて、簡単に被締付け物表面から剥がれる。
そのために、従来のように、フィルムの小片がネジ装置に挟まれてはみ出た状態で残ってしまうことがなく、簡単でしかも綺麗に養生フィルムを除去できる。
しかも、座金に食い込み刃を設けるだけの加工で済んで、ネジ本体は一般的な市販のものを使用でき、安価にネジ装置を提供できる。
【００１０】
本発明の第３の特徴構成は、前記ネジ頭部に対する前記座金の第２接当面部を、高摩擦面に形成したところにある。
【００１１】
本発明の第３の特徴構成によれば、ネジ軸部の回転操作に伴って、高摩擦面に形成された座金の第２接当面部とネジ頭部とが接触して一体的に共回りしやすくなり、食い込み刃を回転させながら、養生フィルムに食い込みやすくできる。
【００１２】
本発明の第４の特徴構成は、前記ネジ頭部における被締付け物対向面部と、前記被締付け物対向面部に対向する前記座金の第２接当面部とを、互いに係合可能な係合面部に形成したところにある。
【００１３】
本発明の第４の特徴構成によれば、ネジ頭部における被締付け物対向面部と、前記第２接当面部とに形成した係合面部により、互いに係合してネジ軸部の回転操作に伴って、座金の第２接当面部とネジ頭部とが、より一層一体的に共回りしやすくなり、食い込み刃を回転させながら、養生フィルムに食い込みやすくできる。
【００１４】
本発明の第５の特徴構成は、前記ネジ頭部には、回転工具の係合用の係合溝を設けたところにある。
【００１５】
本発明の第５の特徴構成によれば、ネジ頭部に設けた係合溝には、回転工具が係合してネジ軸部の回転操作を簡単に行えるようになる。
【００１６】
本発明の第６の特徴構成は、前記ネジ頭部の外周部を多角柱形状の回転操作部に形成したところにある。
【００１７】
本発明の第６の特徴構成によれば、ネジ頭部に形成した多角柱形状の回転操作部には、スパナなどの回転工具を係合させることができ、ネジ軸部の回転操作を簡単に行えるようになる。
【００１８】
本発明の第７の特徴構成は、ネジ軸心に沿った前記食い込み刃の断面形状は、前記食い込み刃の内周面が先端側に行くほどネジ軸心から遠ざかる傾斜面に形成すると共に、前記食い込み刃の外周面は、前記ネジ軸心と平行か、又は、先端側に行くほどネジ軸心から遠ざかる傾斜面に形成したところにある。
【００１９】
本発明の第７の特徴構成によれば、ネジ軸心に沿った前記食い込み刃の断面形状は、前記食い込み刃の内周面が先端側に行くほどネジ軸心から遠ざかる傾斜面に形成すると共に、前記食い込み刃の外周面は、前記ネジ軸心と平行か、又は、先端側に行くほどネジ軸心から遠ざかる傾斜面に形成することにより、ネジ頭部における被締付け物対向面部に食い込み刃を設けた場合は、ネジ頭部が簡単に潜り抜ける最大限の円形の剪断部が食い込み刃により形成され、また、座金に食い込み刃が形成される場合には、座金が簡単に潜り抜けられる最大限の円形の剪断部が食い込み刃により形成され、養生フィルムが簡単に綺麗に除去できる。特に、前記食い込み刃の外周面を前記ネジ軸心と平行とすることで、食い込み刃を略垂直に養生フィルム面に押し付けることができ、ネジの締め付けによる養生フィルムの切断力を最大限に働かせることができる。
【００２０】
本発明の第８の特徴構成は、前記食い込み刃を、前記接当面部の外周方向に凹凸の鋸刃形状に形成したところにある。
【００２１】
本発明の第８の特徴構成によれば、食い込み刃を、前記接当面部の外周方向に凹凸の鋸刃形状に形成したことにより、ネジ部の締め付け操作に伴って、食い込み刃が回転しながら養生フィルムに食い込みやすくなり、より確実に被締付け物対向面部の最外周部と同径の円形の剪断部が形成される。
【００２２】
本発明の第９のネジ装置用の座金の特徴構成は、ネジ軸部の先端に切り刃を有し、前記ネジ軸部の基端側に前記切り刃よりも外径が大きいネジ部と、基端に前記ネジ部の外径よりも大きいネジ頭部を有したネジ本体に外嵌するための上記特徴に記載のネジ装置用の座金であって、被締付け物に対する第１接当面部に、前記ネジ部の締め付けに伴って被締付け物の表面に食い込み可能な食い込み刃を、前記第１接当面部の最外周部で全周に亘って設けたところにある。
【００２３】
本発明の第９の特徴構成によれば、被締付け物に対する座金の第１接当面部に、ネジ部の締め付けに伴って被締付け物の表面に食い込み可能な食い込み刃を、第１接当面部の最外周部で全周に亘って設けることにより、ネジ部の締め付けに伴って、被締付け物に対する前記座金の第１接当面部に設けた食い込み刃が、養生フィルムに食い込み、第１接当面部の最外周部と同径の円形の剪断部が養生フィルムに形成される。
従って、被締付け物を設置現場において組み付けた後に、養生フィルムを除去すると、養生フィルムに形成された円形の前記剪断部が、座金の外周部及びネジ頭部を潜り抜けて、簡単に被締付け物表面から剥がれる。
そのために、従来のように、フィルムの小片がネジ装置に挟まれてはみ出た状態で残ってしまうことがなく、簡単でしかも綺麗に養生フィルムを除去できる。
しかも、座金に食い込み刃を設けるだけの加工で済んで、ネジ本体は一般的な市販のものを使用でき、安価にネジ装置を提供できる。
【図面の簡単な説明】
【００２４】
【図１】本発明のネジ装置を取り付けた状態を示す使用状態斜視図である。
【図２】ネジ装置の取付状態の断面図である。
【図３】養生フィルムを剥がす時の斜視図である。
【図４】別実施形態の要部側面図である。
【図５】（ａ）〜（ｄ）は、夫々別実施形態の要部側面図である。
【図６】別実施形態の縦断側面図である。
【図７】別実施形態の一部縦断側面図である。
【図８】（ａ），（ｂ）は、夫々異なった座金の斜視図である。
【図９】別実施形態の座金の側面図である。
【図１０】別実施形態の一部縦断側面図である。
【図１１】別実施形態の一部縦断側面図である。
【発明を実施するための形態】
【００２５】
以下に本発明の実施の形態を図面に基づいて説明する。
[第１実施形態]
図１〜図２に示すように、ネジ装置の一例としてのドリルネジ装置は、ネジ軸部１の先端に予めドリルにより穿孔しておかなくても自己穿孔する切り刃２を有し、ネジ軸部１の基端側に切り刃２よりも外径が大きいネジ部３と、基端にネジ部３の外径よりも大きい駆動回転操作用のネジ頭部４を有したネジ本体６から成り、ネジ頭部４における被締付け物対向面部７の最外周部と同径又はそれよりは小径に、ネジ頭部４の外周部を形成し、ネジ部３の締め付けに伴って被締付け物５の表面に食い込み可能な食い込み刃８を、被締付け物対向面部７の最外周部で全周に亘って設けてある。
【００２６】
尚、食い込み刃８は、図２に示すように、ネジ軸心に沿った前記食い込み刃の断面形状が、食い込み刃８の内周面が先端側に行くほどネジ軸心から遠ざかる傾斜面に形成すると共に、食い込み刃８の外周面は、ネジ軸心と平行か、又は、先端側に行くほどネジ軸心から遠ざかる傾斜面に形成してある。
【００２７】
図１、図２に示すように、ネジ装置は、例えば、それを使用してアルミニウム押し出し成形品等の金属製の被締付け物５同士を予め予備組み付けした状態で、施工現場などに本施工のために出荷する際に、被締付け物５の表面に傷つけないように保護する樹脂製の養生フィルム９を貼り付けた状態で、その養生フィルム９の上から取り付けられ、被締付け物５を設置現場において組み付施工した後には、養生フィルム９は除去されるものである。
【００２８】
前記ネジ装置は、図２に示すように、養生フィルム９の上から被締付け物５の表面に取付け操作を行うと、ネジ軸部１の先端に設けた切り刃２が、ネジ軸部１の回転操作に伴って養生フィルム９及び被締付け物５に、ネジ用の孔を穿孔しながらネジ軸部１に設けたネジ部３が食い込み、養生フィルム９を挟み込みながら固定されるが、ネジ部３の締め付けに伴って、被締付け物対向面部７の最外周部で全周に亘って設けた食い込み刃８が、養生フィルム９に食い込み、被締付け物対向面部７の最外周部と同径の円形の剪断部１０が形成される。
従って、被締付け物５を設置現場において組み付けた後に、図３に示すように、養生フィルム９を除去すると、養生フィルム９に形成された円形の剪断部１０が、締付け物対向面部の最外周部と同径又はそれよりは小径の外周部を形成するネジ頭部４を潜り抜けて、簡単に被締付け物５表面から剥がれる。
【００２９】
〔別実施形態１〕
〈１〉  前記食い込み刃８を、図４に示すように、前記被締付け物対向面部７の外周方向に凹凸の鋸刃形状に形成しても良い。
〈２〉  ネジ頭部４の形状は、図５（ａ）〜図５（ｄ）に示すような例えば一般的に、ナベ頭(図５（ａ）)、トラス頭(図５（ｂ）)、バインド（図５（ｃ））、プレジャー（図５（ｄ））と称するような形状の物でもよく、ネジ頭部４における被締付け物対向面部７の最外周部と同径又はそれよりは小径な部分を有するように、前記ネジ頭部４の外周部を形成してあればよい。また、ネジ頭部に、被締付け物対向面部７を備える座金１２と同様のフランジ部を、図６に示すように、一体形成したものでもよい。
〈３〉  ネジ頭部４には、図２〜図３に示すように、回転工具の係合用のプラス又はマイナス形状の係合溝１１を設けたり、ネジ頭部４自身を、その外周部に、スパナで回転操作できるように、例えば、６角柱形状や４角柱形状等の多角柱形状の回転操作部を形成したものでもよい。
〈４〉  本発明のネジ装置は、ドリルネジに食い込み刃８を設けた例で示したが、ドリルネジに代えて、一般的なボルトや、ネジ軸部の先端に切り刃が付設されていないタッピングネジや、予め被締付け物５に形成してある雌ネジに螺合させて取り付ける一般的な小ネジと称するビスなどのネジ部材に食い込み刃８を設けたものでもよい。
【００３０】
[第２実施形態]
上記と同様に、従来のネジ装置では、例えば、金属製の被締付け物などに予め取り付けて出荷する際に、被締付け物の表面に傷つけないように保護する樹脂製の養生フィルムを貼り付けた状態で、その養生フィルムの上から前記ネジ装置を取り付けておくことがある。
前記ネジ装置は、養生フィルムの上から被締付け物の表面に取付け操作を行うと、ネジ軸部の回転操作に伴って養生フィルム及び被締付け物に、ネジ軸部に設けたネジ部が食い込み、養生フィルムを挟み込みながら固定される。
しかし、その被締付け物を設置現場において組み付けた後には、養生フィルムは除去されなければならず、その際に、ネジ装置によって被締付け物表面に押し付けられた養生フィルムが綺麗に除去できず、フィルムの小片がネジ装置に挟まれてはみ出た状態で残ってしまうことがあった。
それは、ネジ本体に座金を外嵌させてネジ装置として使用した場合にも同様である。
【００３１】
従って、本発明の目的は、養生フィルムの上から予めネジ装置を取り付けても、養生フィルムを簡単にしかも綺麗に除去できるようにするところにある。
【００３２】
図７〜図１０に示すように、ネジ装置の一例としてのドリルネジ装置は、ネジ軸部１の先端に切り刃２を有し、ネジ軸部１の基端側に切り刃２よりも外径が大きいネジ部３と、基端にネジ部３の外径よりも大きいネジ頭部４を有したネジ本体６と、ネジ本体６における前記ネジ軸部１に外嵌する座金１２を設けた物から成り、被締付け物５に対する座金１２の第１接当面部１３に、ネジ部３の締め付けに伴って被締付け物５の表面に食い込み可能な食い込み刃８を、第１接当面部１３の最外周部で全周に亘って設けてある。
【００３３】
前記ネジ装置は、図２に示すように、養生フィルム９の上から被締付け物５の表面に取付け操作を行うと、ネジ軸部１の回転操作に伴って、養生フィルム９及び被締付け物５に切り刃２が穿孔しながらネジ軸部１に設けたネジ部３を食い込ませ、更に、座金１２の第１接当面に設けた食い込み刃８が、ネジ頭部４に押されて養生フィルム９に食い込み、第１接当面部１３の最外周部と同径の円形の剪断部１０が形成される。
従って、被締付け物５を設置現場において組み付けた後に、養生フィルム９を除去すると、養生フィルム９に形成された円形の剪断部１０が、図３に示すように、第１接当面部１３の最外周部を潜り抜けて、簡単に被締付け物５表面から剥がれる。
【００３４】
〔別実施形態２〕
〈１〉  前記ネジ頭部４に対する座金１２の第２接当面部１５を、ネジ頭部４と座金１２とが一体回転しやすいように、高摩擦面に形成したり、図８（ａ）、（ｂ）に示すように、ネジ頭部４における被締付け物対向面部７に係合しやすい凹凸面に形成してあっても良く、また、ネジ頭部４における被締付け物対向面部７にも、凹凸部を設けて互いに係合可能な係合面部に形成してあっても良い。
〈２〉  座金１２に形成する食い込み刃８は、第１実施形態の食い込み刃８と同様に、図９に示すように、外周方向に凹凸の鋸刃形状に形成してあっても良い。
〈３〉  座金１２に食い込み刃８を設けることにより、ネジ本体６のネジ頭部４は、一般的な形状の物でもよく、図１０に示すように、ネジ頭部４が凹入可能な凹部１４を、座金１２に設けても良い。
〈４〉  座金１２を設ける場合は、ネジ頭部４は図１１に示すように、６角柱状のボルトでもよい。
〈５〉  座金１２に食い込み刃８を設ける場合には、ネジ軸部１の先端部に切り刃２を設けたドリルネジに代えて、図１１に示すように、一般的なボルトや、ネジ軸部の先端に切り刃が付設されていないタッピングネジや、予め被締付け物５に形成してある雌ネジに螺合させて取り付ける一般的な小ネジと称するビスなどのネジ部材に使用することもできる。
【００３５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３６】
１      ネジ軸部
２      切り刃
３      ネジ部
４      ネジ頭部
６      ネジ本体
７      被締付け物対向面部
８      食い込み刃      
【図１】
2017003036.tif 000003
【図２】
2017003036.tif 000004
【図３】
2017003036.tif 000005
【図４】
2017003036.tif 000006
【図５】
2017003036.tif 000007
【図６】
2017003036.tif 000008
【図７】
2017003036.tif 000009
【図８】
2017003036.tif 000010
【図９】
2017003036.tif 000011
【図１０】
2017003036.tif 000012
【図１１】
2017003036.tif 000013